(57)【特許請求の範囲】
【請求項１】
建造物の通路開口をシール状態で全閉可能な防水扉装置であって、
前記建造物の天井部分に、側壁側の防水扉の格納位置と通路開口側の防水扉の使用位置とに跨るように取付けられたレールと、このレールを移動可能な台車と、この台車に昇降可能に吊り下げ支持された防水扉とが備えられ、
前記防水扉は、移動方向に複数枚に分割されて、各防水扉の分割側部に、隣り合う防水扉の側部同士をシールするシール材が設けられ、
前記防水扉の上部と前側部と後側部と下部とにシール材がそれぞれ設けられて、上部シール材と前側部シール材と後側部シール材は、通路開口の戸当たりに接触するとともに、下部シール材は、通路開口の床面部分に接触し、
前記防水扉の下部に、通路開口の床部分のピン穴に上方から差し込み可能な位置決めピンが設けられ、防水扉の上部に、通路開口の上側の楔受け凹部に上方から係合可能な楔が設けられて、防水扉が使用位置で台車から下降される時に、位置決めピンがピン穴に差し込まれながら、楔受け凹部に係合する楔によって、防水扉の上部シール材と前側部シール材と後側部シール材とが通路開口の前記戸当たりに押し付けられるようになることを特徴とする防水扉装置。
【請求項２】
前記レールは、使用位置の部分が円弧状に湾曲されて、前記防水扉は、前記台車に水平面内で回動可能に支持されていることを特徴とする請求項１に記載の防水扉装置。
【請求項３】
前記レールは、格納位置の側壁にほぼ沿うように湾曲されるとともに、格納位置には、レール切り替え機構が設けられて、前記レール切り替え機構は、前記天井部分に前記レールの方向に対して、直交方向に延在する直交レールが取付けられ、この直交レールには、各防水扉に対応する切り替えレールが移動可能に取付けられ、各切り替えレールは、前記レールと一致する切り替え位置と、側壁内方の格納位置と側壁外方の仮移動位置との間を往復移動可能となっており、各防水扉を側壁にほぼ沿って厚み方向に重ねて格納可能であることを特徴とする請求項１または２に記載の防水扉装置。
【発明の詳細な説明】
【技術分野】
【０００１】
本発明は、建造物、例えば地下街、地下鉄、地下駐車場等の通路開口をシール（水密）状態で全閉する防水扉装置に関する。
【背景技術】
【０００２】
従来、複数枚の分割扉を開閉シリンダにより格納位置と使用位置との間で昇降駆動するようにした昇降式防水扉装置がある（特許文献１参照）。
【０００３】
また、複数枚の分割扉を開閉シリンダにより格納位置と使用位置との間でスライド駆動するようにしたスライド式防水扉装置がある（特許文献２参照）。
【０００４】
特許文献１は、天井側に分割扉を格納するものであるから、天井高さの低い建造物の通路開口には設置できない。
【０００５】
特許文献２は、側壁側に分割扉を格納するものであるから、天井高さの低い建造物の通路開口にも設置できる。
【特許文献１】特開２００４−７６４０６号公報
【特許文献２】特開２００３−３３６４５５号公報
【発明の開示】
【発明が解決しようとする課題】
【０００６】
しかしながら、特許文献２は、開閉シリンダによる先行防水扉の出退駆動に連動して、段違い状態で後続防水扉を連動させるものであるから、通路開口の横幅が広い（例えば約１２ｍ）場合には、それとほぼ同長さの開閉シリンダを必要とする。しかも側壁側に開閉シリンダの設置スペースを必要とするので、側壁側のスペースが狭い通路開口では設置できないという問題がある。
【０００７】
また、先行防水扉の先行部シール材は、開閉シリンダで一方の側壁の扉受け部に圧縮されるので、シール性は良いが、後続防水扉の後続部シール材は、他方の側壁に弾力で接触するだけであるので、シール性が悪いという問題がある。
【０００８】
さらに、防水扉は、門柱のほぼ半分の高さであり、通路開口を全閉できるものではなく、全閉できると仮定しても、各防水扉の上部のシール材も上壁に弾力で接触するだけであるので、シール性が悪いという問題がある。
【０００９】
本発明は、前記問題を解消するためになされたもので、天井高さが低く、側壁側のスペースも狭い既設の通路開口であっても設置が可能で、かつ通路開口を防水扉の自重で自動的にシールしながら全閉可能な防水扉装置を提供することを目的とするものである。
【課題を解決するための手段】
【００１０】
前記課題を解決するために、本発明は、建造物の通路開口をシール状態で全閉可能な防水扉装置であって、前記建造物の天井部分に、側壁側の防水扉の格納位置と通路開口側の防水扉の使用位置とに跨るように取付けられたレールと、このレールを移動可能な台車と、この台車に昇降可能に吊り下げ支持された防水扉とが備えられ、前記防水扉は、移動方向に複数枚に分割されて、各防水扉の分割側部に、隣り合う防水扉の側部同士をシールするシール材が設けられ、前記防水扉の上部と前側部と後側部と下部とにシール材がそれぞれ設けられて、上部シール材と前側部シール材と後側部シール材は、通路開口の戸当たりに接触するとともに、下部シール材は、通路開口の床面部分に接触し、前記防水扉の下部に、通路開口の床部分のピン穴に上方から差し込み可能な位置決めピンが設けられ、防水扉の上部に、通路開口の上側の楔受け凹部に上方から係合可能な楔が設けられて、防水扉が使用位置で台車から下降される時に、位置決めピンがピン穴に差し込まれながら、楔受け凹部に係合する楔によって、防水扉の上部シール材と前側部シール材と後側部シール材とが通路開口の前記戸当たりに押し付けられるようになることを特徴とする防水扉装置を提供するものである。
【００１３】
請求項２のように、前記レールは、使用位置の部分が円弧状に湾曲されて、前記防水扉は、前記台車に水平面内で回動可能に支持されていることが好ましい。
【００１４】
請求項３のように、前記レールは、格納位置の側壁にほぼ沿うように湾曲されるとともに、格納位置には、レール切り替え機構が設けられて、前記レール切り替え機構は、前記天井部分に前記レールの方向に対して、直交方向に延在する直交レールが取付けられ、この直交レールには、各防水扉に対応する切り替えレールが移動可能に取付けられ、各切り替えレールは、前記レールと一致する切り替え位置と、側壁内方の格納位置と側壁外方の仮移動位置との間を往復移動可能となっており、各防水扉を側壁にほぼ沿って厚み方向に重ねて格納可能であることが好ましい。
【発明の効果】
【００１５】
本発明によれば、防水扉を昇降可能に吊り下げた台車を建造物の天井部分のレールに沿って、側壁側の防水扉格納位置から通路開口側の防水扉使用位置に移動させる。そして、使用位置で台車から防水扉を下降させる時に、防水扉の下部の位置決めピンが通路開口の床部分のピン穴に差し込まれることで、防水扉が位置決めされるようになる。この防水扉の下降に伴って、防水扉の上部の楔が通路開口の上側の楔受け凹部に係合することで、防水扉が通路開口の戸当たりに押し付けられるようになる。
【００１６】
このように、防水扉は、床部分から僅かに浮かした状態で、横引き方向に移動させるから、天井高さの低い建造物の通路開口にも設置できるようになる。
【００１７】
また、通路開口の横幅が広い（例えば約１２ｍ）場合でも、天井部分のレールに沿って手動で移動可能であるから、側壁側に開閉シリンダ等の設置スペースが不要であるので、側壁側のスペースが狭い通路開口でも設置することができる。
【００１８】
さらに、防水扉が使用位置で台車から下降される時に、位置決めピンがピン穴に差し込まれながら、楔受け凹部に係合する楔によって、防水扉が通路開口の戸当たりに押し付けられるようになる。したがって、通路開口を防水扉の自重で自動的にシールしながら全閉することができる。
【００１９】
さらにまた、床部分に、防水扉のガイドレール溝等を形成する必要が無く、所々に小さなピン穴を形成するだけであり、このピン穴に蓋をすれば、目立ちにくくなるから、美観性も向上するようになる。
【００２０】
また、防水扉の上部シール材と前側部シール材と後側部シール材は、通路開口の戸当たりに接触させ、下部シール材は、通路開口の床面部分に接触させることで、全閉のシール性がより向上するようになる。
【００２１】
さらに、防水扉を移動方向に複数枚に分割した場合には、隣り合う防水扉の側部同士をシール材でシールすることで、分割部分のシール性がより向上するようになる。
【００２２】
請求項２によれば、デザイン等によって、レールの使用位置の部分が円弧状に湾曲されている場合、台車に防水扉を水平面内で回動可能に支持することで、防水扉がレールに沿ってスムーズに円弧状移動されるようになる。
【００２３】
請求項３によれば、レール切り替え機構によって、各防水扉を側壁にほぼ沿って厚み方向に重ねて格納可能であるから、各防水扉を通路開口と側壁との間の狭いスペースに扁平状態で合理的に格納できるようになる。
【発明を実施するための最良の形態】
【００２４】
以下、本発明を実施するための最良の形態について、図面を参照しながら詳細に説明する。
【００２５】
図１は建造物、例えば地下街の通路の平面図、図４は、図１のＤ−Ｄ線拡大断面図である。このような地下街の通路の概略寸法は、図１の平面図において、通路開口１の横幅Ｗは約１２ｍである。また、図４の断面図において、通路開口１の高さ（床２から梁３の下面までの高さ…呑口高）Ｔ１は約３ｍ、梁３の下面から天井（下地）４までの高さ（天井高さ）Ｔ２は約０．８ｍである。
【００２６】
かかる通路開口１は、既設のものであって変更不可という条件があり、その特徴をまとめると、通路開口１の高さＴ１（約３ｍ）に比して、横幅Ｗ（約１２ｍ）が非常に長い（約１：４）。しかも、梁３の下面から天井４までの天井高さＴ２（約０．８ｍ）が非常に低い点である。加えて、図１における左側壁５側の防水扉１３Ａ〜１３Ｄの格納庫８は、張り出し壁６との間で、平面視において、左側壁５に沿った略三角形状のスペースしか確保できなく、非常に狭い点である。
【００２７】
このような厳しい条件下の既設の通路開口１に、本発明に係る防水扉装置を設置することが要求されている。
【００２８】
図１〜図４に示すように、通路開口１の梁３に近い水圧Ｐ側（浸水側）の天井（下地）４には、複数個の吊り金具１１で天井（下地）４から吊り下げたレール１０が取付けられている。このレール１０は、図１のように、水圧Ｐ側の中心点Ｆを半径Ｒとして、右側壁７と、左側壁５側の格納庫（防水扉１３Ａ〜１３Ｄの格納位置）８の出入り口８ａ付近の内部まで円弧状に湾曲されている。この円弧状のレール１０は、そのほぼ全長に亘って防水扉１３Ａ〜１３Ｄの使用位置となっている。また、レール１０は、格納位置の左側壁５にほぼ沿うように湾曲されている。
【００２９】
防水扉１３Ａ〜１３Ｄは、通路開口１を水圧Ｐ側からシール状態で全閉可能な縦横のサイズに設定されていて、移動（レール）方向に複数枚（本例では４枚）に分割されている。
【００３０】
図２のように、各防水扉１３Ａ〜１３Ｄの上部の左右位置には、レール１０を移動可能な懸垂式の台車１４がそれぞれ取付けられている。
【００３１】
各防水扉１３Ａ〜１３Ｄの水圧Ｐ側の面の中央位置には、手動で回転操作可能な昇降用ハンドル１５（図９参照）が配置され、このハンドル１５から方向変換部１５ａを介してフレキシブル垂直軸１６が回転されるようになる。また、この垂直軸１６から方向変換部１６ａを介して左右の水平軸１７が回転され、この各水平軸１７から方向変換部１７ａと回転ナット（不図示）を介して垂直ねじ軸１８がそれぞれ昇降移動されるようになる。各垂直ねじ軸１８の上端部は、水平回動部（回動ジョイント）１８ａを介して左右の台車１４にそれぞれ連結されている。これにより、各防水扉１３Ａ〜１３Ｄは、台車１４にそれぞれ吊り支持（懸垂）されるようになる。
【００３２】
したがって、昇降用ハンドル１５を手動で回転操作することで、各垂直ねじ軸１８により、台車１４に対して各防水扉１３Ａ〜１３Ｄが昇降するようになる。また、水平回動部１８ａにより、各防水扉１３Ａ〜１３Ｄは、台車１４に水平面内で回動可能に支持されるようになる。
【００３３】
各防水扉１３Ａ〜１３Ｄの上部には、水平回動部１８ａを中心とする半径の円弧状溝を有する当たり部１９ａが形成されるとともに、台車１４には、当たり部１９ａの円弧状溝でガイドされる走行当たりローラ１９ｂが設けられている。
【００３４】
各防水扉１３Ａ〜１３Ｄの水圧Ｐ側の面の左側位置（右側位置でも可）には、手動で回転操作可能な走行用ハンドル２０（図３参照）が配置され、このハンドル２０から方向変換部２０ａを介してフレキシブル垂直軸２１が回転されるようになる。この垂直軸２１から方向変換部２１ａを介して台車１４の駆動輪１４ａが回転されるようになる。
【００３５】
したがって、走行用ハンドル２０を手動で回転操作することで、垂直軸２１により、各防水扉１３Ａ〜１３Ｄを吊り支持した台車１４がレール１０に沿って走行移動するようになる。
【００３６】
各防水扉１３Ａ〜１３Ｄの下部の左右位置には、台車１４によりレール１０に沿って通路開口１の使用位置に走行移動された時に、通路開口１の床２に形成されたピン穴１ａ〔図５（ａ）参照〕に上方から差し込み可能な位置決めピン２３が設けられている。また、左右の位置決めピン２３の間には、休止ゴム２７が設けられている。この位置決めピン２３の下部は、ピン穴１ａに差し込まれやすいように、テーパ状に形成されている。
【００３７】
図５に詳細に示すように、ピン穴１ａは、通路開口１の床２に埋め込まれたブロック２４のオイルレスブッシュ２４ａに形成され、このオイルレスブッシュ２４ａは、床２の上面よりも落とし込まれている。この位置決めピン２３がピン穴１ａに差し込まれない防水扉１３Ａ〜１３Ｄの格納時には、図５（ｂ）のように、オイルレスブッシュ２４ａの落とし込み部に蓋２５が被されて、床２と面一となるようにしている。
【００３８】
また、各防水扉１３Ａ〜１３Ｄの水圧Ｐ側と反対の面のほぼ真下の通路開口１の床２には、通路開口１の全横幅に亘って、後述する下部シール材３５が接触する水密部材２６が床２と面一となるように埋め込まれている。
【００３９】
図２〜図４に示すように、各防水扉１３Ａ〜１３Ｄの上部の左右位置には、使用位置に走行移動された時に、通路開口１の上側の梁３の戸当たり２８に形成された楔受け凹部２９に上方から係合可能な楔３０が設けられている。
【００４０】
そして、各防水扉１３Ａ〜１３Ｄが使用位置で台車１４から下降される時に、位置決めピン２３がピン穴１ａに差し込まれながら、楔受け凹部２９に係合する楔３０によって、各防水扉１３Ａ〜１３Ｄの上部が通路開口１の戸当たり２８に押し付けられるようになる。
【００４１】
また、図６（ｂ）のように、最前位置の防水扉１３Ａの前部は、右側壁７の戸当たり３１に押し付けられ、図６（ａ）のように、最後位置の防水扉１３Ｄの後部は、左側壁５の戸当たり３２に押し付けられるようになる。
【００４２】
図３および図４のように、各防水扉１３Ａ〜１３Ｄの上部には、戸当たり２８に接触可能な上部シール材３４がそれぞれ取付けられ、各防水扉１３Ａ〜１３Ｄの下部には、水密部材２６に接触可能な下部シール材３５がそれぞれ取付けられている。
【００４３】
また、図６（ａ）（ｂ）のように、最前位置（１番）の防水扉１３Ａの前側部には、戸当たり３１に接触可能な前側部シール材３６が取付けられ、最後位置（４番）の防水扉１３Ｄの後側部には、戸当たり３２に接触可能な後側部シール材３７が取付けられている。
【００４４】
さらに、図７に示すように、１番の防水扉１３Ａの後側部（分割側部）と２番の防水扉１３Ｂの前側部（分割側部）、２番の防水扉１３Ｂの後側部と３番の防水扉１３Ｃの前側部、３番の防水扉１３Ｃの後側部と４番の防水扉１３Ｄの前側部には、隣り合う防水扉の側部同士をシールする側部シール材３８と水密板３９とが相対的にそれぞれ取付けられている。
【００４５】
前記までの構成において、走行用ハンドル２０の手動による回転操作で、各防水扉１３Ａ〜１３Ｄを吊り下げた台車１４を天井４のレール１０に沿って、左側壁５側の格納位置から、図１のように、通路開口１側の使用位置に、１番の防水扉１３Ａ、２番の防水扉１３Ｂ、３番の防水扉１３Ｃ、４番の防水扉１３Ｄの順に移動させる。
【００４６】
そして、使用位置で昇降用ハンドル１５の手動による回転操作で、台車１４から各防水扉１３Ａ〜１３Ｄを下降させる時に、各防水扉１３Ａ〜１３Ｄの下部の位置決めピン２３が通路開口１の床２部分のピン穴１ａに差し込まれることで、各防水扉１３Ａ〜１３Ｄが位置決めされるようになる。
【００４７】
この各防水扉１３Ａ〜１３Ｄの下降に伴って、各防水扉１３Ａ〜１３Ｄの上部の楔３０が通路開口１の上側の戸当たり２８の楔受け凹部２９に係合することで、各防水扉１３Ａ〜１３Ｄが通路開口１の戸当たり２８，３１，３２に押し付けられるようになる。
【００４８】
このように、各防水扉１３Ａ〜１３Ｄを、床２部分から僅かに浮かした状態で、横引き方向に移動させるから、天井高さの低い建造物の通路開口１にも設置できるようになる。
【００４９】
また、通路開口１の横幅が広い場合でも、天井４部分のレール１０に沿って手動で移動可能であるから、左右の側壁５，７側に開閉シリンダ等の設置スペースが不要であるので、側壁５，７側のスペースが狭い通路開口１でも設置することができる。
【００５０】
さらに、各防水扉１３Ａ〜１３Ｄが使用位置で台車１４から下降される時に、位置決めピン２３がピン穴１ａに差し込まれながら、楔受け凹部２９に係合する楔３０によって、各防水扉１３Ａ〜１３Ｄが通路開口１の戸当たり２８，３１，３２に押し付けられるようになる。したがって、通路開口１を各防水扉１３Ａ〜１３Ｄの自重で自動的にシールしながら全閉することができる。
【００５１】
さらにまた、床２に、各防水扉１３Ａ〜１３Ｄのガイドレール溝等を形成する必要が無く、所々に小さなピン穴１ａを形成するだけであり、このピン穴１ａに蓋２５をすれば、目立ちにくくなるから、美観性も向上するようになる。
【００５２】
また、各防水扉１３Ａ〜１３Ｄの上部シール材３４と前側部シール材３６と後側部シール材３７は、通路開口１の戸当たり２８，３１，３２に接触させ、下部シール材３５は、通路開口１の床２の水密部材２６に接触させることで、全閉のシール性がより向上するようになる。
【００５３】
さらに、各防水扉１３Ａ〜１３Ｄは、移動方向に複数枚に分割されているから、このような場合には、隣り合う防水扉１３Ａ〜１３Ｄの側部同士を側部シール材３８と水密板３９とでシールすることで、分割部分のシール性がより向上するようになる。
【００５４】
さらにまた、デザイン等によって、レール１０の使用位置の部分が円弧状に湾曲されている。このような場合には、水平回動部１８ａにより、台車１４に防水扉１３Ａ〜１３Ｄを水平面内で回動可能に支持することで、防水扉１３Ａ〜１３Ｄがレール１０に沿ってスムーズに円弧状移動されるようになる。
【００５５】
一方、レール１０は、格納位置の左側壁５にほぼ沿うように湾曲されるとともに、格納位置には、レール切り替え機構４３が設けられて、図１と要部を拡大した図８のように、各防水扉１３Ａ〜１３Ｄを左側壁５にほぼ沿って厚み方向に重ねて格納できるようになっている。
【００５６】
具体的には、図１における左側壁５側の格納庫８は、張り出し壁６との間で、平面視において、左側壁５に沿った三角形状であり、４枚の防水扉１３Ａ〜１３Ｄを全て厚み方向に重ねて格納することができない。そのために、３枚の防水扉１３Ａ〜１３Ｃは厚み方向に重ねて格納し、１枚の防水扉１３Ｄは防水扉１３Ａの奥部分に並べて格納するようになっている。
【００５７】
レール１０は、格納庫（防水扉１３Ａ〜１３Ｄの格納位置）８の出入り口８ａ付近の内部まで円弧状に湾曲されていて、その内端部１０ａの付近は、格納庫８の斜辺を覆う外カバー部材４４と平行になっている。なお、外カバー部材４４は、防水扉１３Ａ〜１３Ｄの使用時は、取り外せるようになっている。なおまた、図４に示したように、通路開口１の梁３の真下位置は、天井化粧板４５で覆われていて、この天井化粧板４５の一部４５ａも防水扉１３Ａ〜１３Ｄの使用時は、取り外せるようになっている。
【００５８】
図８〜図１０に示すように、格納庫８の奥側の天井４７には、レール１０の内端部１０ａの方向に対して、直交方向に延在する２本の直交レール４８が取付けられている。
【００５９】
この直交レール４８には、１〜３番の切り替えレール４９Ａ，４９Ｂ，４９Ｃがそれぞれ一対の台車５０でそれぞれ移動可能に取付けられ、格納庫８の張り出し壁６側には、手動操作可能な１〜３番の移動用ハンドル５１，５２，５３が配置されている。
【００６０】
１番の移動用ハンドル５１から方向変換部５１ａを介して垂直軸５１ｂが回転され、この垂直軸５１ｂから方向変換部５１ｃを介して、切り替えレール４９Ａと平行な水平軸５１ｄが回転され、この水平軸５１ｄから方向変換部５１ｅを介して、直交レール４８と平行なねじ軸５１ｆが回転されるようになる。このねじ軸５１ｆは、切り替えレール４９Ａの固定ナット５１ｇにねじ込まれている。
【００６１】
したがって、１番の移動用ハンドル５１を手動操作することで、垂直軸５１ｂと水平軸５１ｄとねじ軸５１ｆと固定ナット５１ｇを介して、１番の切り替えレール４９Ａが直交レール４８に沿って移動するようになる。
【００６２】
１番の移動用ハンドル５１と同様の機構が２番と３番の移動用ハンドル５２，５３にも設けられていて、２番の移動用ハンドル５２を手動操作することで、２番の切り替えレール４９Ｂが直交レール４８に沿って移動するようになり、３番の移動用ハンドル５３を手動操作することで、３番の切り替えレール４９Ｃが直交レール４８に沿って移動するようになる。
【００６３】
そして、１番の切り替えレール４９Ａは、レール１０の内端部１０ａと一致する格納（切り替え）位置ｐと、格納位置ｐよりも外方の仮移動位置ｑ（二点鎖線参照）との間を往復移動可能となっている。
【００６４】
また、２番の切り替えレール４９Ｂは、１番の切り替えレール４９Ａの格納位置ｐよりも内方の格納位置ｒと、レール１０の内端部１０ａと一致する切り替え位置ｐと、切り替え位置ｐよりも外方の仮移動位置ｓ（二点鎖線参照）との間を往復移動可能となっている。
【００６５】
さらに、３番の切り替えレール４９Ｃは、２番の切り替えレール４９Ｂの格納位置ｒよりも内方の格納位置ｔと、レール１０の内端部１０ａと一致する切り替え位置ｐとの間を往復移動可能となっている。
【００６６】
さらにまた、格納位置ｐの１番の切り替えレール４９Ａの後方位置の天井４７には、１番の切り替えレール４９Ａと一致する４番の切り替え（固定）レール４９Ｄが取付けられている。
【００６７】
そして、１番の防水扉１３Ａは、１番の切り替えレール４９Ａで格納位置ｐに格納され、２番の防水扉１３Ｂは、２番の切り替えレール４９Ｂで格納位置ｒに格納され、３番の防水扉１３Ｃは、３番の切り替えレール４９Ｃで格納位置ｔに格納され、４番の防水扉１３Ｄは、４番の切り替えレール４９Ｄで格納位置ｕに格納されている。
【００６８】
各防水扉１３Ａ〜１３Ｄの格納位置ｐ，ｒ，ｔ，ｕの床５５には、各昇降用ハンドル１５で下降された各防水扉１３Ａ〜１３Ｄの位置決めピン２３を受け入れるピン穴５５ａがそれぞれ形成されている。この格納位置ｐ，ｒ，ｔ，ｕで各防水扉１３Ａ〜１３Ｄが下降された時には、各防水扉１３Ａ〜１３Ｄの休止ゴム２７が床５５の突出部５５ｂに当て止められるようになる。
【００６９】
次に、各防水扉１３Ａ〜１３Ｄの開閉操作手順を説明する。
【００７０】
（Ａ）通路開口１の閉操作（１〜４番の順で各防水扉１３Ａ〜１３Ｄを格納庫８から出庫する。）
（１）１番の防水扉１３Ａの閉操作
格納位置ｐにある１番の防水扉１３Ａを昇降用ハンドル１５の操作で上昇させ、ついで、走行用ハンドル２０の操作で、１番の切り替えレール４９Ａからレール１０に乗り移らせて走行させ、使用位置で停止させて、昇降用ハンドル１５の操作で下降させる。
【００７１】
これに伴って、１番の防水扉１３Ａは、位置決めピン２３が通路開口１のピン穴１ａに差し込まれることで位置決めされながら、楔３０が通路開口１の上側の戸当たり２８の楔受け凹部２９に係合することで、通路開口１の戸当たり２８，３１に押し付けられるようになる。
【００７２】
この時、上部シール材３４と前側部シール材３６とが通路開口１の戸当たり２８，３１に接触し、下部シール材３５が通路開口１の床２の水密部材２６に接触することで、１番の防水扉１３Ａの閉操作が完了する。
【００７３】
（２）２番の防水扉１３Ｂの閉操作
１番の移動用ハンドル５１を操作して、１番の切り替えレール４９Ａを格納位置ｐから仮移動位置ｑに移動させる。ついで、格納位置ｒにある２番の防水扉１３Ｂを昇降用ハンドル１５の操作で上昇させ、その後、２番の移動用ハンドル５２を操作して、２番の切り替えレール４９Ｂを格納位置ｒから切り替え位置ｐに移動させる。ついで、走行用ハンドル２０の操作で、２番の切り替えレール４９Ｂからレール１０に乗り移らせて走行させ、使用位置で停止させて、昇降用ハンドル１５の操作で下降させる。
【００７４】
これに伴って、２番の防水扉１３Ｂは、位置決めピン２３が通路開口１のピン穴１ａに差し込まれることで位置決めされながら、楔３０が通路開口１の上側の戸当たり２８の楔受け凹部２９に係合することで、通路開口１の戸当たり２８に押し付けられるようになる。
【００７５】
この時、上部シール材３４が通路開口１の戸当たり２８に接触し、下部シール材３５が通路開口１の床２の水密部材２６に接触するとともに、１番の防水扉１３Ａの後側部の水密板３９に２番の防水扉１３Ｂの前側部の側部シール材３８が接触することで、２番の防水扉１３Ｂの閉操作が完了する。
【００７６】
（３）３番の防水扉１３Ｃの閉操作
２番の移動用ハンドル５２を操作して、２番の切り替えレール４９Ｂを切り替え位置ｐから仮移動位置ｓに移動させる。ついで、格納位置ｔにある３番の防水扉１３Ｃを昇降用ハンドル１５の操作で上昇させ、その後、３番の移動用ハンドル５３を操作して、３番の切り替えレール４９Ｃを格納位置ｔから切り替え位置ｐに移動させる。ついで、走行用ハンドル２０の操作で、３番の切り替えレール４９Ｃからレール１０に乗り移らせて走行させ、使用位置で停止させて、昇降用ハンドル１５の操作で下降させる。
【００７７】
これに伴って、３番の防水扉１３Ｃは、位置決めピン２３が通路開口１のピン穴１ａに差し込まれることで位置決めされながら、楔３０が通路開口１の上側の戸当たり２８の楔受け凹部２９に係合することで、通路開口１の戸当たり２８に押し付けられるようになる。
【００７８】
この時、上部シール材３４が通路開口１の戸当たり２８に接触し、下部シール材３５が通路開口１の床２の水密部材２６に接触するとともに、２番の防水扉１３Ｂの後側部の水密板３９に３番の防水扉１３Ｃの前側部の側部シール材３８が接触することで、３番の防水扉１３Ｂの閉操作が完了する。
【００７９】
（４）４番の防水扉１３Ｄの閉操作
格納位置ｕにある４番の防水扉１３Ｄを昇降用ハンドル１５の操作で上昇させ、ついで、走行用ハンドル２０の操作で、４番の切り替えレール４９Ｄから３番の切り替えレール４９Ｃを介してレール１０に乗り移らせて走行させ、使用位置で停止させて、昇降用ハンドル１５の操作で下降させる。
【００８０】
これに伴って、４番の防水扉１３Ｄは、位置決めピン２３が通路開口１のピン穴１ａに差し込まれることで位置決めされながら、楔３０が通路開口１の上側の戸当たり２８の楔受け凹部２９に係合することで、通路開口１の戸当たり２８に押し付けられるようになる。
【００８１】
この時、上部シール材３４と後側部シール材３７が通路開口１の戸当たり２８，３２に接触し、下部シール材３５が通路開口１の床２の水密部材２６に接触するとともに、３番の防水扉１３Ｃの後側部の水密板３９に４番の防水扉１３Ｄの前側部の側部シール材３８が接触することで、４番の防水扉１３Ｄの閉操作が完了する。
【００８２】
（Ｂ）通路開口１の開操作（４番〜１番の順で各防水扉１３Ａ〜１３Ｄを格納庫８に入庫する。）
（１）４番の防水扉１３Ｄの開操作
使用位置にある４番の防水扉１３Ｄを昇降用ハンドル１５の操作で上昇させ、ついで、走行用ハンドル２０の操作で、レール１０から３番の切り替えレール４９Ｃを介して４番の切り替えレール４９Ｄに乗り移るまで走行させ、格納位置ｕで停止させて、昇降用ハンドル１５の操作で下降させる。
【００８３】
これに伴って、４番の防水扉１３Ｄは、位置決めピン２３が床５５のピン穴５５ａに受け入れられるとともに、休止ゴム２７が床５５の突出部５５ｂに当て止められることで、４番の防水扉１３Ｄの開操作が完了する。
【００８４】
（２）３番の防水扉１３Ｃの開操作
使用位置にある３番の防水扉１３Ｃを昇降用ハンドル１５の操作で上昇させ、ついで、走行用ハンドル２０の操作で、レール１０から３番の切り替えレール４９Ｃに乗り移るまで走行させる。ついで、３番の移動用ハンドル５３を操作して、３番の切り替えレール４９Ｃを切り替え位置ｐから格納位置ｔまで移動させ、その後、昇降用ハンドル１５の操作で下降させる。
【００８５】
これに伴って、３番の防水扉１３Ｃは、位置決めピン２３が床５５のピン穴５５ａに受け入れられるとともに、休止ゴム２７が床５５の突出部５５ｂに当て止められることで、３番の防水扉１３Ｃの開操作が完了する。
【００８６】
（３）２番の防水扉１３Ｂの開操作
２番の移動用ハンドル５２を操作して、２番の切り替えレール４９Ｂを仮移動位置ｓから切り替え位置ｐまで移動させる。
【００８７】
使用位置にある２番の防水扉１３Ｂを昇降用ハンドル１５の操作で上昇させ、ついで、走行用ハンドル２０の操作で、レール１０から２番の切り替えレール４９Ｂに乗り移るまで走行させる。ついで、２番の移動用ハンドル５２を操作して、２番の切り替えレール４９Ｂを切り替え位置ｐから格納位置ｒまで移動させ、その後、昇降用ハンドル１５の操作で下降させる。
【００８８】
これに伴って、２番の防水扉１３Ｂは、位置決めピン２３が床５５のピン穴５５ａに受け入れられるとともに、休止ゴム２７が床５５の突出部５５ｂに当て止められることで、２番の防水扉１３Ｂの開操作が完了する。
【００８９】
（４）１番の防水扉１３Ａの開操作
１番の移動用ハンドル５１を操作して、１番の切り替えレール４９Ｂを仮移動位置ｑから格納（切り替え）位置ｐまで移動させる。
【００９０】
使用位置にある１番の防水扉１３Ａを昇降用ハンドル１５の操作で上昇させ、ついで、走行用ハンドル２０の操作で、レール１０から１番の切り替えレール４９Ａに乗り移るまで走行させる。その後、昇降用ハンドル１５の操作で下降させる。
【００９１】
これに伴って、１番の防水扉１３Ａは、位置決めピン２３が床５５のピン穴５５ａに受け入れられるとともに、休止ゴム２７が床５５の突出部５５ｂに当て止められることで、１番の防水扉１３Ａの開操作が完了する。
【００９２】
このように、レール切り替え機構４３によって、各防水扉１３Ａ〜１３Ｄを左側壁５にほぼ沿って厚み方向に重ねて格納可能であるから、各防水扉１３Ａ〜１３Ｄを通路開口１と左側壁５との間の狭いスペースに扁平状態で合理的に格納できるようになる。
【図面の簡単な説明】
【００９３】
【図１】本発明の実施形態の防水扉装置の平面図である。
【図２】図１のＢ−Ｂ矢視に相当する防水扉の正面図である。
【図３】図１のＣ−Ｃ線拡大断面図である。
【図４】図１のＤ−Ｄ線拡大断面図である。
【図５】位置決めピンとピン穴であり、（ａ）は拡大断面図、（ｂ）はピン穴の蓋の平面図である。
【図６】（ａ）は４番の防水扉と戸当たりの拡大平面図、（ｂ）は１番の防水扉と戸当たりの拡大平面図である。
【図７】隣り合う防水扉の拡大平面図である。
【図８】防水扉の格納庫の拡大平面図である。
【図９】図１のＥ−Ｅ線拡大断面図である。
【図１０】図１のＡ−Ａ線拡大断面図である。
【符号の説明】
【００９４】
１      通路開口
１ａ    ピン穴
２      床
４      天井（下地）
５      左側壁
６      張り出し壁
７      右側壁
８      格納庫
８ａ    出入り口
１０    レール
１３Ａ〜１３Ｄ  防水扉
１５    昇降用ハンドル
２０    走行用ハンドル
２３    位置決めピン
２８    戸当たり
２９    楔受け凹部
３０    楔
３１    戸当たり
３２    戸当たり
３４    上部シール材
３５    下部シール材
３６    前側部シール材
３７    後側部シール材
３８    側部シール材
３９    水密板
４３    レール切り替え機構
４８    直交レール
４９Ａ〜４９Ｄ  切り替えレール
５１〜５３  移動用ハンドル
【図１】
0005352125.tif 000002
【図２】
0005352125.tif 000003
【図３】
0005352125.tif 000004
【図４】
0005352125.tif 000005
【図５】
0005352125.tif 000006
【図６】
0005352125.tif 000007
【図７】
0005352125.tif 000008
【図８】
0005352125.tif 000009
【図９】
0005352125.tif 000010
【図１０】
0005352125.tif 000011